(57)【要約】【課題】楽譜、ノート等の薄物演奏補助具と、譜面台、足台等堅物奏補助具とを干渉させること無く一緒に収容する事が出来る演奏補助具の収容バッグを得る。【解決手段】上部に手提げ（１）及び上部口（２）を有する直方体状のバッグ（３）を設け、該バッグ（３）の片側側面の中央縦に該バッグと分割された、左右縦側面にひだ状のマチを設けた折り畳み可能なポケット（５）を形成し、上部に蓋（６）を設ける。蓋の開閉具はポケット（５）本体正面縦に２個所、蓋（６）内側に１個所とし、ポケット使用時と未使用時の膨らみの違いによってスライド出来る２段階構造とする。ポケットが折り畳まれた際は当該バッグ（３）に密着する構造とする。また、前記バッグ（３）は小型楽器ケースまたは楽譜類が収容できる容積とし、ポケット（５）は束状に折り畳んだ譜面台（７）が収容できる容積とする。【選択図】図３
2020025836.tif 000002
【特許請求の範囲】
【請求項１】
上部に手提げ（１）及び上部口（２）を有する直方体状のバッグ（３）を設け、該バッグ（３）の片側側面中央縦に該バッグ（３）と分割された、ポケット（５）を形成し、上部に蓋（６）を設けたことを特長とする演奏補助具の収容バッグ。
【請求項２】
前記ポケット（５）は、左右縦側面にひだ状のマチを設け、厚み方向に折り畳み可能であ    ることを特徴とする請求項１記載の演奏補助具の収容バッグ。
【請求項３】
ポケット（５）上部の蓋（６）の開閉具は、ポケット（５）本体正面縦に２個所、蓋（６    ）内側に１箇所とし、ポケット使用時と未使用時の膨らみの違いによってスライド出    来る２段階構造とすることで、ポケットが折り畳まれた際は該バッグ（３）に密着す    ることを特長とする請求項１又は請求項２記載の演奏補助具の収容バッグ。
【発明の詳細な説明】
【技術分野】
【０００１】  本発明は、楽譜、ノート等の薄物演奏補助具と、譜面台、足台等の堅物演奏補助具を干渉させることなく一緒に収容することが出来る演奏補助具の収容バッグに関するものである。
【背景技術】
【０００２】  従来は、楽譜、ノート等の薄物演奏補助具、及び折り畳み可能な譜面台、足台等の堅物演奏補助具を携行する際に、堅物演奏補助具は折り畳んで専用の袋またはケースに収容して携行するようにしていた。このため、楽器以外の小物が増えることになり、移動時に忘れ物をしたり、演奏補助具の出し入れに手数を要したりするものであった。
また、薄物演奏補助具と堅物演奏補助具を同じバッグに入れて携行すると、バッグ内で柔らかい楽譜やノートが、堅い譜面台や楽器ケース等によって曲げられたり損傷を受けたりすることがあり、堅い譜面台がバッグ内で動くことによりバッグ自体の変形も問題であった。【０００３】  楽譜、ノート等の薄物演奏補助具と、譜面台、足台等の堅物演奏補助具とを干渉させることなく一緒に収容することができる演奏補助具の収容バッグとして、特許文献１があった。即ち、上部に手提げ及び上部口を有する直方体のバッグを設け、該バッグの底部に仕切り壁によって上部室と分割された底部室を形成し、前記バッグの底部の側面に前記底部室の左右前後側面のうちの３側面を開閉する側面開閉具を設けたものであった。【０００４】  前記特許文献１のものは、バッグの底部に上部室と仕切られた底部室が設けられているため、柔らかい素材の場合には安定感がなく、また中に何も入っていない時には上部の重みで潰れてしまう可能性がある。その改善のために強固な素材である必要があり、そうすると製造にもコストがかかる。空の時でも底部の寸法が保たれてしまうので小型化が出来ない。また出し入れの際には上部室を支え持って開閉させなければならず、手間を要することになる。
【先行技術文献】
【特許文献】
【０００５】
【特許文献１】実用新案登録第３１２５８３４号広報
【発明の概要】
【発明が解決しようとする課題】
【０００６】  本発明は、楽譜、ノート等の薄物演奏補助具と、譜面台、足台等の堅物演奏補助具とが互いに干渉することなく、円滑に収容できる演奏補助具の収容バッグを得ると同時に、譜面台、足台等の堅物演奏補助具の出し入れが円滑な演奏補助具の収容バッグを得ることを目的とする。
【課題を解決するための手段】
【０００７】  本発明は、上記目的を達成するために以下の如く構成したものである。即ち、請求項１に係る発明は、上部に手提げ及び上部口を有する直方体状のバッグを設け、該バッグの片側側面中央縦に該バッグと分割された、ポケットを形成し、上部に蓋を設ける構成にしたものである。
ポケット上部の蓋の開閉具は、ポケット本体正面縦に２個所、蓋内側に１箇所とし、ポケット使用時と未使用時の膨らみの違いによってスライド出来る２段階構造とすることで、ポケットが折り畳まれた際は該バッグに密着するものである。
【発明の効果】
【０００８】  請求項１に係る発明は、楽譜、ノート等の薄物演奏補助具を上部口からバッグに収容し、譜面台、足台等の堅物演奏補助具をバッグ片側側面中央縦に形成したポケットに収容することで、前記薄物演奏補助具と堅物演奏補助具とが仕切られ分離されることになる。このため、薄物演奏補助具が堅物演奏補助具によって変形されたり、損傷を受けたりしなくなり、バッグ自体の変形も防ぐことができる。さらに、ポケットが本体片側側面中央縦に取り付けられていることによって、堅物演奏補助具を重力の力を借りて容易に収納することができるので、これらの出し入れがより迅速に行えることになる。
また、移動時の小物の数が低減し、忘れ物の発生が少なくなる。
請求項２に係る考案は、譜面台が入っているときはその膨らみによりバッグの上下の高さとポケットの上下の高さとが同じ高さになるように設計されている。譜面台を入れない時はマチが折り畳める構造のため、バッグにポケットを平たく密着させることができる。バッグ本体には薄物演奏補助具を整然と収容することができ、請求項３に係る考案は、ポケット上部の蓋の開閉具により、ポケットに堅物演奏補助具が入っていない時には折り畳まれたポケットを膨らまないように固定し、バッグ本体に平らにフィットさせることでかさばりをおさえることができる。またこの時、より平たくなる工夫としてマチ部分にファスナーのようなものを付けることも可能である。
【図面の簡単な説明】
【０００９】
【図１】本考案の実施例を示す正面図である。
【図２】図１の右側面図である。
【図３】図２のＡ部使用中の図である。
【発明を実施するための形態】
【００１０】  以下本発明の実施例を図面に基づいて説明する。図において、図１は本発明の実施例を示す正面図、図２は図１の右側面図、図３は図２のＡ部使用中の図である。
【００１１】（本体の説明）
図１〜図３において、１１は演奏補助具の収納バッグの全体を示す図であり、織布材により図１において左右の幅Ｗ１が約３５０ｍｍ、上下の高さＨ１が約４７０ｍｍ、図２において左右の厚さＴ１が約５００ｍｍとなる直方体状のバッグ３を形成し、該バッグ３の上部に一対の手提げ１，１を連結してなる。直方体状のバッグ（３）は小型楽器ケースまたは楽譜類が収容できる容積としている。
【００１２】（譜面台入れポケットの説明）
図１の５はポケットであり、バッグ３の片側側面中央に縫合する。ポケット５の幅Ｗａ１は約７０ｍｍ、ポケット５の上下の高さＨａ１が約４９０ｍｍ、Ｔａ１（図３）は約６０ｍｍとし、束状に折り畳んだ譜面台７が収容できる。ポケット５をバッグ３の中央縦に取り付けることにより、譜面台７を安定して持ち運ぶことができ、収容の際には重力に従って譜面台が落下するので容易に収納することができる。
【００１３】（蓋の開閉具の説明）
ポケット５は、図２に示すように、本体正面に縦２個所８と９に、蓋６裏面に１個所１０に、開閉具が取り付けられており、譜面台７を収納した時のふくらみに合わせて８または９かを選択する（図３）。
【００１４】（マチの説明）
図３に示すように、譜面台７が入っているときはその膨らみによりバッグ３の上下の高さＨ１とＨａ１は同じ高さになるように設計されている。譜面台７を入れない時はマチが折り畳める構造なので、図２に示すようにバッグ３にポケット５を平たく密着させることができる。より平たくフィットさせる工夫として、マチ部分と本体バッグ３にファスナーを装着し開閉する事でふくらみをおさえることも可能である。
【００１５】（本体上部口について）
図１バッグ３の上部口２には、ファスナーやマグネットのような開閉具が取り付けられ、開閉するようにしてもよい。
【００１６】（内ポケットの説明）
図１バッグ３の内部壁両面にはポケットが取り付けられており（図示省略）、音叉、チューナー、筆記具等、小物が収容できるようにしてもよい。
【００１７】（まとめ）
前記実施例によれば、バッグ３上部口２より楽譜、ノート等の薄物演奏補助具を収容し、ポケット上部の蓋６を開け、例えば折り畳んだ束状の譜面台７を収容すると、前記薄物演奏補助具と譜面台７とが干渉しあうことなく携行することができる。このため、楽譜、ノート等の薄物演奏補助具が譜面台７によって変形されたり、損傷されたりしなくなるとともに、両者をバッグ３に容易に出し入れすることができる。しかも、形態の異なる楽譜、ノート等の薄物演奏補助具と譜面台７とを１つのバッグ３に収容できるので、移動時における演奏補助具の忘れ物が低減することになる。さらに、譜面台を持ち運ばない時にはポケットを折り畳み本体に密着させることができるので、従来品特許文件１よりも、かさばりをおさえることができる。
【符号の説明】
【００１８】  １  手提げ
２  上部口
３  バッグ
５  ポケット
６  蓋
７  譜面台
８  ポケット開閉具（上）
９  ポケット開閉具（下）
１０  ポケット蓋の開閉具
１１  演奏補助具収容バッグ全体図
【図１】
2020025836.tif 000003
【図２】
2020025836.tif 000004
【図３】
2020025836.tif 000005